(57)【要約】【課題】     高機能セラミック多孔質体（ペレット）による生成水（銀イオン水）の殺菌力（抗菌効果）や脱臭力などの効力を噴霧対象物に近接で直接的に噴霧が可能な銀イオン生成水噴霧用の超音波加湿器ユニットの提供することを目的とする。【解決手段】    自在に傾倒回転可動する自在噴霧筒（２）の先端部に噴霧口ノズル（３）を構成させ、該噴霧口ノズル（３）の先端口先部に、吹出しの霧へ外周からの気流にも比較的影響が受けにくい、収束、捻り、放射などの形状で対象物に近接で噴霧が出来る自在複数口ノズル（４）を具備させた銀イオン生成水噴霧用の超音波加湿器本体（１）を提供することにより、高機能セラミック多孔質体（ペレット）（１８）による生成（銀イオン）水（７）を効果的に噴霧可能となる。【選択図】  図１
2010144964.tif 000002
【特許請求の範囲】
【請求項１】
生成水噴霧用の超音波加湿器本体(１)の上面噴霧口(１Ａ)に、手動にて自在に傾倒回転可動する着脱可能な自在噴霧筒(２)と該自在噴霧筒(２)の一端に噴霧口ノズル(３)が構成され、該噴霧口ノズル(３)の先端部に、吹出しの霧へ外周からの気流にも比較的影響が受けにくい、収束、捻り、放射などの形状で、対象物に近接で噴霧が可能となる自在複数ノズル(４)を具備されていることを特徴とする銀イオン生成水噴霧用の超音波加湿器ユニット。
【請求項２】
生成水噴霧用超音波加湿器本体(１)の上面噴霧口(１Ａ)に、手動にて自在に傾倒回転可動する着脱可能な自在噴霧筒(２)と該自在噴霧筒(２)の一端に噴霧口ノズル(３)が構成され、超音波加湿器本体(１)に内蔵の噴霧用送風ファン(２１)に替わって、該噴霧口ノズル(３)に、噴霧ファン(５)及び、非接触センサー（赤外線センサー等）(１５)を付帯させて、噴霧対象物へ近接で噴霧制御が可能となる噴霧ファンユニット(５Ａ)を具備されていることを特徴とする請求項１に記載の銀イオン生成水噴霧用の超音波加湿器ユニット。
【請求項３】
生成水噴霧用の超音波加湿器本体(１)内、貯水槽(６)の生成水(７)を長時間の噴霧が可能となるように、貯水槽(６)の水位検知と連動して、適量で補給が可能で、構造も簡易な自然落水式自動給水口付き補助貯水容器(９)を貯水槽上面部(６Ａ)に裁置されていることを特徴とする請求項１又は２に記載の銀イオン生成水噴霧用の超音波加湿器ユニット。
【請求項４】
生成水噴霧用の超音波加湿器本体(１)内、貯水槽(６)の生成水(７)を、長時間噴霧が可能となるように、貯水槽(６)内に固着した残量検知装置（液面センサー等）(８)の水位検知と連動する自動給水・停止機能を有する電動ポンプ式補助給水式容器(１０)を貯水槽(６)の周辺及び、超音波加湿器本体(１)外部の周辺（１０a）に設置されていることを特徴とする請求項１、２又は３に記載の銀イオン生成水噴霧用の超音波加湿器ユニット。
【請求項５】
生成水噴霧用の超音波加湿器本体(１)内、貯水槽(６)の生成水(７)を、長時間の噴霧が可能となるように、貯水槽(６)内に固着した残量検知装置（液面センサー等）(８)の水位と連動して、銀イオン水生成用の水道水を電磁弁（１１a）等、装着の給水装置(１１)で貯水槽(６)に直結するように構成されていることを特徴とする請求項１、２、３又は４に記載の銀イオン生成水噴霧用の超音波加湿器ユニット。
【請求項６】
生成水噴霧用の超音波加湿器本体(１)用の電源は、該超音波加湿器本体(１)をあらゆる設置場所に対応出来るように、AC電源(１２)やバッテリー電源(１３)、燃料電池機器(化学電池等)(１４)などの給電方式に対応されていることを特徴とする請求項１、２、３、４又は５に記載の銀イオン生成水噴霧用の超音波加湿器ユニット。
【請求項７】
超音波加湿器本体(１)の貯水槽(６)内に固着させて、該貯水槽(６)内の生成水（銀イオン水、機能成分等）(７)の所定の機能性を検出する化学センサー（イオンセンサー等）(１６)と該機能性の確認が容易となる表示パネル(１７)などの外部表示部材で構成されていることを特徴とする請求項１、２、３、４、５又は６に記載の銀イオン生成水噴霧用の超音波加湿器ユニット。
【請求項８】
請求項１、での自在に傾倒回転可動する着脱可能な自在噴霧筒(２)の座部（２A）下方に、超音波加湿器本体(１)内、貯水槽（６）の生成水用高機能セラミック多孔質体（ペレット）(１８)の生成作用促進を目的として、超音波振動子上面(１９Ａ)に近接配置となるように、円筒状の保持器(２０)が嵌入されていて、着脱可能な該保持器(２０)は高機能セラミック多孔質体（ペレット）(１８)の点検や交換時、超音波加湿器本体(１)の上面噴霧口(１Ａ)より外部へ容易に取り出すことが可能となるように構成されていることを特徴とする請求項１、２、３、４、５、６又は７に記載の銀イオン生成水噴霧用の超音波加湿器ユニット。
【発明の詳細な説明】
【技術分野】
【０００１】
本発明は、高機能セラミック多孔質体（ペレット）による銀イオン水や金属イオン水などの生成水（殺菌水）を超音波振動で霧化をさせ、食品分野および医療分野や介護分野、ペット産業分野での、消毒や消臭等の専用液などを一切使用しないで、銀イオン生成水を噴霧対象物に近接で直接的に噴霧して、殺菌および消臭、鮮度保持などの目的とする用途でも、噴霧による水滴などの残留が微細な超音波加湿器に関する。
【背景技術】
【０００２】
従来の、超音波加湿器は、振動子により、水を霧化し、室内へ噴霧放散させて加湿を行うタイプがある。又、室内に浮遊する空中除菌や脱臭機能を備えた、室内環境改善対応商品の空気清浄機タイプが一般的に市販されている。これらの加湿空気清浄機器は、空中への加湿噴霧や水道水を電気分解して生成する電解水をミスト状にして、空中噴霧して脱臭や浮遊菌の除菌や抑制として使用されている。又、ショーケース内の鮮度保持を目的とした用途での超音波加湿器利用の出願例もある。（例えば、特許文献１参照。）又、超音波加湿機（器）内に光触媒浄化ユニットを設置した出願例もある。（例えば、特許文献２参照。）又、ペットボトルを利用した小型の超音波加湿器などの製品も市販されている。（例えば、非特許文献３参照。）
【０００３】
【特許文献１】特開２００２−２２２１７号公報（第２−６頁、第２図）
【特許文献２】特開２００１−１５３４１２号公報（第２−７頁、第８図）
【非特許文献３】[オンライン]、〔平成２０年１１月２４日検索〕、インターネット      URL: http://www.i-mckey.com/petmist/「ペットボトル超音波加湿器」
【発明の開示】
【発明が解決しようとする課題】
【０００４】
しかしながら、従来の加湿器は、主には、室内への加湿や空中浮遊菌の除菌、脱臭の目的として、あるいは、特定の空間（例として、生鮮店舗用のショーケース等）への加湿などの放散用として用いられている。又、これらの加湿器は、貯水槽の水が長時間の使用時に、細菌類の繁殖となる可能性もある問題で、電気分解方式での電解水の生成や加湿器（機）内に、光触媒浄化ユニットなどの装置を組み込んだものも考案されているが、これらの機能付与では、加湿器（機）の構造も複雑になり、製品価格も標準の超音波加湿器に比べ可也の割高となっている。特に、先述の特定空間（例として、生鮮店舗用のショーケース等）での設置の場合、食品衛生法基準や水道法水質基準など、公的機関での試験に適合した殺菌作用のある生成水などで、噴霧対象物に近接で直接的に噴霧する用途での加湿器（機）等が無かった。
【０００５】
そこで、本発明は、一般細菌、大腸菌、サルモネラ菌、黄色ぶどう球菌、緑膿菌やレジオネラなどへの抗菌効果のある生成材料での公的機関における分析試験（食品衛生法および水道法）に適合した、高機能セラミック多孔質体（ペレット）による生成水（銀イオン水）を、本発明の主たる用途として、噴霧対象物に近接で直接的に噴霧することで、該生成水の殺菌性・脱臭力の効力と超音波加湿器の噴霧が数ミクロン単位の微細なミストによる蒸発時の気化作用での冷却効果を利用した鮮度保持効果を付与した銀イオン生成水噴霧用の超音波加湿器ユニットの提供することを目的とする。
【課題を解決するための手段】
【０００６】
上述の目的を達成するために、本発明に係る銀イオン生成水噴霧用の超音波加湿器ユニットは、超音波加湿器本体の上面噴霧口に、手動にて自在に傾倒回転可動する着脱可能な自在噴霧筒と該自在噴霧筒の一端に噴霧口ノズルを構成させて、該噴霧口ノズルの先端部に、吹出しの霧へ外周からの気流にも比較的影響が受けにくい、収束、捻り、放射などの形状で、対象物に近接で噴霧が可能にする自在複数ノズルを具備させたものである。
【０００７】
生成水噴霧用の超音波加湿器本体の上面噴霧口に嵌入した上述の噴霧口ノズルに、噴霧ファン及び、非接触センサー（赤外線センサー等）を付帯させ、噴霧対象物に近接で適切な噴霧量や噴霧パターン等の制御が可能となるようにプログラム制御（回路図省略）を回路基板に組み込んで可能とさせたものである。
【０００８】
生成水噴霧用の超音波加湿器本体内、貯水槽の生成水を長時間の噴霧が可能となるように、貯水槽の水位検知と連動して、適量での補給が可能で、構造も簡易な自然落水式自動給水口付き補助貯水容器を貯水槽上面部に裁置させたものである。
【０００９】
生成水噴霧用の超音波加湿器本体内の、貯水槽の生成水を、長時間噴霧が可能となるように、貯水槽内に固着した残量検知装置（液面センサー等）の水位検知と連動する自動給水・停止機能を有する電動ポンプ式補助給水式容器を貯水槽の周辺及び、超音波加湿器本体外部の周辺に設置させたものである。
【００１０】
生成水噴霧用の超音波加湿器本体内、貯水槽の生成水を、長時間の噴霧が可能となるように、貯水槽内に固着した残量検知装置（液面センサー等）の水位検知と連動して、銀イオン水生成用の水道水を電磁バルブ等、装着の給水装置で貯水槽に直結するように構成させたものである。
【００１１】
生成水噴霧用の超音波加湿器本体用の供給電源は、該超音波加湿器本体を設置できる場所などの条件に対応出来るように、一般的なAC電源と、バッテリー電源や燃料電池機器（化学電池等）などの給電方式に対応させたものである。
【００１２】
超音波加湿器本体の貯水槽内に固着させて、該貯水槽内の生成水（銀イオン水）の所定の機能性を検出する化学センサー（イオンセンサー等）と該機能性の確認が容易となる表示パネルなどの外部表示部材で構成させたものである。
【００１３】
超音波加湿器本体内、貯水槽の生成水用の高機能セラミック多孔質体（ペレット）の生成作用促進となるように、超音波振動子上面に近接配置させる目的と、高機能セラミック多孔質体（ペレット）の点検や交換時、外部に容易に取り出すことが可能となるように着脱可能な円筒状の保持器を構成させたものである。
【発明の効果】
【００１４】
本発明は、上述の如く構成されるので、次に記載する効果を奏する。
【００１５】
（請求項１によれば、）生成水噴霧用の超音波加湿器本体（１）の上面噴霧口（１Ａ）に、手動にて自在に傾倒回転可動する着脱可能な自在噴霧筒（２）と該自在噴霧筒（２）の一端に噴霧口ノズル（３）が構成されており、該噴霧口ノズル（３）の先端部に装着した自在複数ノズル（４）により、吹出しの霧へ外周からの気流にも比較的影響が受けにくい、収束、捻り、放射などの形状で、対象物に近接で直接的に噴霧が可能になる。
【００１６】
（請求項２によれば、）生成水噴霧用の超音波加湿器本体（１）の上面噴霧口（１Ａ）に、手動にて自在に傾倒回転可動する着脱可能な自在噴霧筒（２）と該自在噴霧筒（２）の一端に噴霧口ノズル（３）が構成されており、超音波加湿器本体（１）に内蔵の噴霧用送風ファン（２１）に替わって、該噴霧口ノズル（３）に、噴霧ファン（５）及び、非接触センサー（赤外線センサー等）（１５）を付帯させた噴霧ファンユニット（５Ａ）により、噴霧対象物に近接で適切な噴霧量や噴霧パターンなどの噴霧制御が可能になる。
【００１７】
（請求項３によれば、）生成水噴霧用の超音波加湿器本体（１）内、貯水槽（６）の水位検知と連動して、適量での補給が可能で、構造も簡易な自然落水式自動給水口付き補助貯水容器（９）を貯水槽上面部（６Ａ）に裁置させることにより、長時間の噴霧が可能になる。
【００１８】
（請求項４によれば、）生成水噴霧用の超音波加湿器本体（１）の貯水槽（６）内に固着した残量検知装置（液面センサー等）（８）の水位検知と連動する自動給水・停止機能を有する電動ポンプ式補助給水式容器（１０）を貯水槽（６）の周辺及び、超音波加湿器本体（１）外部の周辺（１０a）に設置させることにより長時間の噴霧が可能になる。
【００１９】
（請求項５によれば、）、生成水噴霧用の超音波加湿器本体（１）内、貯水槽（６）内に固着した残量検知装置（液面センサー等）（８）の水位と連動して、銀イオン水生成用の水道水を電磁バルブ（１１a）等、装着の給水装置（１１）で貯水槽（６）に直結して補給するように構成させることにより、連続して生成水の噴霧が可能になる。
【００２０】
（請求項６によれば、）生成水噴霧用の超音波加湿器本体（１）用の電源をAC電源（１２）やバッテリー電源（１３）や燃料電池機器（化学電池等）（１４）などの給電方式に対応させることで、超音波加湿器本体（１）をあらゆる設置場所への対応が可能になる。
【００２１】
（請求項７によれば、） 超音波加湿器本体（１）の貯水槽（６）内に固着させて、該貯水槽（６）内の生成水（銀イオン水、機能成分等）（７）の所定の機能性を検出する化学センサー（イオンセンサー等）（１６）と表示パネル（１７）などの外部表示部材と連携させた構成をさせることにより、生成水（７）の機能性確認が容易となる。
【００２２】
（請求項８によれば、） 超音波加湿器本体(１)内、貯水槽（６）の生成水用の高機能セラミック多孔質体（ペレット）(１８)の生成作用促進を目的として、超音波振動子上面(１９Ａ)に近接配置となるように、円筒状の保持器(２０)が嵌入されていて、着脱可能な該保持器(２０)は高機能セラミック多孔質体（ペレット）(１８)の点検や交換時、超音波加湿器本体(１)の上面噴霧口(１A)より外部へ容易に取り出すことが可能になる。
【発明を実施するための最良の形態】
【００２３】
以下、実施の形態を示す図面に基づき、本発明を詳説する。
銀イオン生成水噴霧用の超音波加湿器ユニットは、食品分野および医療分野や介護分野、ペット産業分野での、噴霧対象物に近接で直接に噴霧して、生成水による殺菌および消臭、鮮度保持などの目的で使用するものである。図１に、本発明に係る銀イオン生成水噴霧用の超音波加湿器ユニットの一形態を示し、本発明の銀イオン生成水噴霧用の超音波加湿器ユニットは、超音波加湿器本体（１）の上面噴霧口（１Ａ）に、自在に傾倒回転可動する着脱可能な自在噴霧筒（２）と噴霧口ノズル（３）の先端部に、自在複数ノズル（４）が形成されている。なお、本発明の、超音波加湿器本体（１）内の貯水槽（６）での生成水用の基材として、公的機関での試験（食品衛生法および水道法）に適合した、高機能セラミック多孔質体（株式会社オーエスユー社で開発・製造の燃焼合成による高機能セラミック多孔質体＝ペレット）を好適剤としている。なお、高機能セラミック多孔質体（ペレット）をハンド式スプレー容器内に投入して、銀イオンによる生成水として（シナジーウオーター（有）ティーアイオー）の商品が販売されている。
【００２４】
着脱可能で自在に傾倒回転可動する自在噴霧筒（２）は、手動にて、水平・直立状態(図２参照)などに、自在に傾倒回転可動と係止状態に、切換えることが出来るように取り付けられている。図３乃至図４に、該自在噴霧筒（２）の一部破断面説明図を示す。
【００２５】
又、図５乃至図６に、自在噴霧筒座部（半球体形状）（２Ａ）の頂点部と筒部の一部に蛇腹部が形成された自在噴霧筒（２）の別の形態での一部破断面説明図を示す。
【００２６】
又、図７には、一部分の破断部斜視図を示し、噴霧口ノズル（３）の先端部には、単体でも自在に屈曲（本図は捻りと放射）が可能なように蛇腹形状を有した自在複数ノズル（４）が装着されており、収束、捻り、放射の形状に合わせて変形させて、噴霧対象物に近接で直接的に噴霧が可能である。
【００２７】
図８も同じく一部分の破断部斜視図での破断面説明図を示し、超音波加湿器本体（１）に内蔵の噴霧用送風ファン（２１）に替わって（図８では図示省略）、上述の噴霧口ノズル（３）内に、噴霧ファン（５）及び、非接触センサー（赤外線センサー等）（１５）を付帯させた噴霧ファンユニット（５Ａ）により、噴霧対象物への噴霧量や噴霧パターン等の制御機能を付与して、噴霧対象物に近接で直接的に噴霧制御が可能である。なお、該噴霧ファンユニット（５Ａ）は、自在複数ノズル（４）などの装着の有無を問わない実施でも可能である。
【００２８】
又、自在噴霧筒（２）の先端開口部の外周面に、自在複数ノズル（４）を装着した噴霧口ノズル（３）を締め付けて装着する雄ねじ（図示省略の）が形成されている。また、自在複数ノズル（４）を装着及び、請求項２での制御可能な噴霧ファンユニット（５Ａ）を内蔵させる霧口ノズル（３）は、螺合する装着部の内周部に雌ねじ（図示省略の）が形成されている。
【００２９】
図９は、超音波加湿器本体（１）内の貯水槽上面部（６Ａ）に裁置させた、構造も簡易な自然落水式自動給水口付き補助貯水容器（９）の先端開口部内に、止水球弁（９a）を設け、貯水槽（６）内の生成水（７）の水位と連動する水位フロート（９b）と該水位フロート（９b）と締結された止水開放ピン（９c）の線上に、梃子の原理での支点となる止水開放ピン支点（９d）が構成されている。この構成により生成水（７）の水位変動と連動する水位フロート（９b）の浮動により、止水開放ピン（９c）の先端部が止水球弁（９a）を押し上げた隙間から自然落水式自動給水口付き補助貯水容器（９）の水が貯水槽（６）に適量補給される。
【００３０】
図１０は、生成水噴霧用の超音波加湿器本体（１）内、貯水槽（６）内に固着した残量検知装置（液面センサー等）（８）の水位と連動する自動給水・停止機能を有する電動ポンプ式補助給水式容器（１０）を超音波加湿器本体（１）内の周辺部（本図は、貯水槽６の側面）及び、超音波加湿器本体(１)外部の周辺（１０a）に設置することにより、貯水槽（６）の生成水（７）を、長時間噴霧が可能となる。  
【００３１】
図１１は、 生成水噴霧用の超音波加湿器本体（１）内、貯水槽（６）の生成水（７）が、長時間の噴霧が可能となるように、該貯水槽（６）に銀イオン水生成用の水道水を供給する電磁バルブ（１１a）等、装着の給水装置（１１）を直結した配置状態を示す。上述のように構成された生成水噴霧用の超音波加湿器本体（１）は、人的な補給作業なしでも、長時間の自動噴霧が可能となる。
【００３２】
なお、本発明に係る超音波加湿器本体（１）内、貯水槽（６）は、高機能セラミック多孔質体（ペレット）（１８）（株式会社オーエスユー社製）による銀イオン水生成促進実験などで、単体（約Φ１５×t９）使用から複数個での使用時の生成作用効果確認では、該高機能セラミック多孔質体（ペレット）（１８）を３個使用で、約１リットルから１．５リットル程度の容量が生成容量として適合容量であり、該貯水槽（６）及び、補助貯水容器類の材質として、ステンレスやアルミニウムが生成作用の相乗効果があり、好適材料である。又、樹脂製の貯水槽（６）の場合、ポリプロピレンやポリエチレン製の材質に比べて、PET樹脂が比較的、生成作用での安定性があるようである。又、樹脂に銀イオン発生用の材料を混錬した成形品との相乗効果も期待出来る。
【００３３】
次に、図１２乃至図１３は、本発明の請求項６、請求項７の実施形態を示し、生成水噴霧用の超音波加湿器本体（１）への電源供給実施例（図１２）及び、貯水槽（６）内の生成水（銀イオン水、機能成分等）（７）の所定の機能性を検出する化学センサー（イオンセンサー等）（１６）を該貯水槽（６）内に固着（図１３）した一部破断平面図を示す。
【００３４】
図１４は、超音波加湿器本体(１)内、貯水槽（６）の生成水用の高機能セラミック多孔質体（ペレット）(１８)の点検や交換時、超音波加湿器本体(１)の上面噴霧口(１Ａ)より、着脱可能な該保持器(２０)を外部へ容易に取り出しが可能となる一部破断斜視図を示す。又、図１５に一部破断平面図を示す。
【００３５】
なお、本発明は、上述の実施の形態に限定されず、例示の自在噴霧筒（２）の一端に形成された噴霧口ノズル(３)及び、該噴霧口ノズル(３)に装着された自在複数ノズル（４）の形状、数量の増減、又、生成水貯水槽（６）の形状や材質などは、本発明の特許請求に記載された要旨を逸脱しない範囲で設計変更可能である。
【産業上の利用可能性】
【００３６】
本発明は、上述の如く構成され、効果を奏するので、次に記載する分野での実施が可能である。
【００３７】
本発明は、公的機関での試験（食品衛生法および水道法）に適合した、高機能セラミック多孔質体（ペレット）による生成水（銀イオン水）を、本発明の主たる用途として、噴霧対象物に近接で直接的に噴霧することで、該生成水の殺菌力（抗菌効果）や脱臭力などの効力と超音波加湿器の噴霧が数ミクロン単位の微細なミストによる蒸発時の気化作用での冷却効果も付与した鮮度保持効果促進が可能である。具体的に食品分野では、回転寿司店舗での回転式コンベアーラインに設置（図１６参照）し、一定時間、回転コンベアーでの滞留する商品へ近接で直接的に生成水（銀イオン＝殺菌水）を噴霧させる効果として、空中浮遊菌や他の起因する食中毒発生の抑制やミスト蒸発時の気化作用での冷却効果による鮮度低下の対策にも大きな効果がある。又、鮨種へ直接に噴霧しても数ミクロン単位の微細なミストであるため、鮨種表面には水滴などの付着も微細であるので、にぎり鮨などの本来の品質感も損なう事がない。
【００３８】
又、本発明品は飲食関係の厨房や一般家庭の台所（図１７参照）での調理器具（まな板、包丁等）などへの殺菌噴霧用等の機器として、大腸菌などの細菌類繁殖の予防対策（殺菌処理）に効果がある。又、専用保管庫（図示省略の）に収納しての実施も可能である。
【００３９】
また、上述のような噴霧対象物に近接で直接的に噴霧することで、該生成水の殺菌力（抗菌効果）や脱臭力などの効力があるので、医療分野や介護施設分野での利用にも好適である。例えば、病院施設（ナースセンター等）での回診ワゴン台車等（図１８参照）に設置し、病室への回診時の使用済み器具（ピンセット等）への噴霧による殺菌処理や該回診ワゴン台車の移動時での作動効果で、院内への外部からの入室者の衣服・靴などに付着した細菌類が院内での浮遊汚染や滞留して、引き起こす院内感染対策用としても有効である。
【００４０】
別の産業上の用途例として、最近のペットブームも定着の中、室内飼育での消臭対策商品等は、芳香剤や消臭剤等の商品もその効果や品数等も把握出来ない位、市販されているが、図１９に、本来の犬や猫などのペット動物の健康や衛生面での予防対策を主眼として、殺菌（消毒）や脱臭に効果を奏する本発明の実施用途としても大きな効果が期待出来る。
【図面の簡単な説明】
【００４１】
【図１】本発明の実施の一形態を示すと共に使用状態の説明を兼ねた斜視図である。
【図２】本発明の他の使用状態を示す斜視図である。
【図３】本発明の一部破断平面作用説明図である。
【図４】本発明の一部破断平面作用説明図である。
【図５】本発明の他の実施状態を示す一部破断平面作用説明図である。
【図６】本発明の他の実施状態を示す一部破断平面作用説明図である。
【図７】本発明の一部破断面作用斜視図である。
【図８】本発明の一部破断面作用斜視図である。
【図９】本発明の実施の一形態を示すと共に、一部横断面作用説明図である。
【図１０】本発明の実施の一形態を示すと共に、一部横断面作用説明図である。
【図１１】本発明の実施の一形態を示すと共に、一部横断面作用説明図である。
【図１２】本発明の実施の一部破断平面説明図である。
【図１３】本発明の実施の一部破断平面説明図である。
【図１４】本発明の実施例の一形態を示すと共に、一部破断面説明斜視図である。
【図１５】本発明の実施の一部破断平面説明図である。
【図１６】本発明の使用状態の実施例を示す斜視図である。
【図１７】本発明の使用状態の実施例を示す斜視図である。
【図１８】本発明の使用状態の実施例を示す斜視図である
【図１９】本発明の使用状態の実施例を示す斜視図である。
【符号の説明】
【００４２】
１      超音波加湿器本体
１Ａ    上面噴霧口
２      自在噴霧筒
２Ａ    自在噴霧筒座部
３      噴霧口ノズル
４      自在複数ノズル
５      噴霧ファン
５Ａ    噴霧ファンユニット
６      貯水槽
６Ａ    貯水槽上面部    
７      生成水
８      残量検知（液面センサー等）装置
９      自然落水式自動給水口付き補助貯水容器
９a     止水球弁
９b     水位フロート
９c     止水開放ピン
９d     止水開放ピン支点
１０    電動ポンプ式補助給水式容器
１１    給水装置
１１a   電磁バルブ
１２    AC電源
１３    バッテリー電源
１４    燃料電池機器（化学電池等）
１５    非接触センサー（赤外線センサー等）
１６    化学センサー（イオンセンサー等）
１７    表示パネル
１８    高機能セラミック多孔質体（ペレット）
１９    超音波振動子
１９Ａ  超音波振動子上面
２０    円筒状の保持器
２１    噴霧用送風ファン
２２    回路基板
【図１】
2010144964.tif 000003
【図２】
2010144964.tif 000004
【図３】
2010144964.tif 000005
【図４】
2010144964.tif 000006
【図５】
2010144964.tif 000007
【図６】
2010144964.tif 000008
【図７】
2010144964.tif 000009
【図８】
2010144964.tif 000010
【図９】
2010144964.tif 000011
【図１０】
2010144964.tif 000012
【図１１】
2010144964.tif 000013
【図１２】
2010144964.tif 000014
【図１３】
2010144964.tif 000015
【図１４】
2010144964.tif 000016
【図１５】
2010144964.tif 000017
【図１６】
2010144964.tif 000018
【図１７】
2010144964.tif 000019
【図１８】
2010144964.tif 000020
【図１９】
2010144964.tif 000021